(57)【特許請求の範囲】
【請求項１】
対象個人に関する個人情報及び各個人別毎の印刷情報に基づいて、当該対象個人毎に印刷処理を行って個別毎の冊子を作製する冊子作製システムであって、
入力される前記印刷情報及び個人情報に基づいて、当該対象個人に関連付けられた所定形態の印刷情報を特定する個別印刷情報特定手段と、
前記特定された対象個人に関連する印刷情報に対応して当該印刷情報における所定枚葉対象に識別符号を付与する識別符号付与手段と、
前記対象個人毎に対応した印刷情報に関する内容を特定して印刷ファイルを作成するものであって、少なくとも前記付された識別符号及びそのレイアウト情報が含まれ、印刷させる当該識別符号を、印刷対象枚葉における印刷情報以外の部分で、冊子形態のときに存在させる位置であり、所定の枚葉のインデックスマークとしての役割をも担わせる位置にレイアウトさせた印刷ファイルを作成する印刷ファイル作成手段と、
前記作成された印刷ファイルに基づき、対象個人毎に対応して枚葉毎に印刷情報及び前記識別符号を印刷し、印刷された枚葉毎の識別符号を認識し、当該対象個人毎の所定数の枚葉を単位として冊子状に形成する冊子作製手段と、
を有することを特徴とする冊子作製システム。
【請求項２】
請求項１に記載の冊子作製システムであって、前記印刷ファイル作成手段は、印刷させる前記識別符号を、印刷対象枚葉における印刷情報以外の部分で、冊子形態のときに存在させる位置にレイアウトさせた印刷ファイルを作成することを特徴とする冊子作製システム。
【請求項３】
請求項１又は２に記載の冊子作製システムであって、前記印刷情報特定手段は、印刷情報とファイル名とが対応付けされたテーブルを備え、入力される印刷情報に基づいて上記テーブルを参照してファイル名を特定することを特徴とする冊子作製システム。
【請求項４】
請求項３記載の冊子作製システムであって、前記冊子作製手段は、前記ファイル名に対応した印刷データを格納している格納手段を備え、入力される印刷ファイルにおけるファイル名に対応した印刷データを、上記格納手段より読み込んで印刷を行うことを特徴とする冊子作製システム。
【請求項５】
請求項１〜４の少なくとも何れかの冊子作製システムで作製されることを特徴とする冊子。
【発明の詳細な説明】
【０００１】
【発明の属する技術分野】
本発明は、顧客毎の各枚葉の印刷処理を行って各顧客毎の冊子を作製する冊子作製システム及びこれにより作製される冊子に関する。
【０００２】
【従来の技術】
近年、例えば個人対象の通信教育が盛んになってきており、そのカリキュラムは各事業体毎にそれぞれ異なるが、対象個人毎のカリキュラムや進捗状況に応じたテキスト（冊子）を作製して配送することが一般的に行われている。そのため、テキストを個人別毎に作製する場合の効率化、作製費用の低減が望まれている。
【０００３】
従来、例えば個人対象の通信教育で使用されるテキスト（冊子）は、１点一葉のものを作製する場合として、当該冊子の各頁を印刷（印字）しておき、対象個人毎の選択情報に基づいて各頁を手作業で選択し、製本を行う手法がとられている。例えば、各情報毎（枚葉印刷毎）の印刷データがプリンタに伝送され、この印刷データに基づいて、各個人向け毎にオフセット等で印刷（印字）した表紙群と、別に当該各個人向け毎にそれぞれの情報内容をオフセット等で印刷（印字）した各枚葉の枚葉群が必要数用意される。
【０００４】
そして、用意された表紙群と枚葉群から、各個人に対応したリスト（選択情報）に基づいて各表紙（各個人向け）とそれに対応した枚葉を手作業にて選択して丁合することで当該個人対象毎の冊子を作製している。
【０００５】
【発明が解決しようとする課題】
しかしながら、印刷（印字）した各表紙及び各枚葉を各個人別毎に手作業で選択、丁合することから、冊子作製において効率的でなく、特に大量の印刷（印字）を行う場合に効率的でなく、人件費等冊子作製費用が嵩むという問題がある。
そこで、本発明は上記課題に鑑みなされたもので、個人別毎の冊子作製における効率化を図り、作成費用の削減を図る冊子作製システム及びこれにより作製される冊子を提供することを目的とする。
【０００７】
【課題を解決するための手段】
上記課題を解決するために、請求項１の発明では、対象個人に関する個人情報及び各個人別毎の印刷情報に基づいて、当該対象個人毎に印刷処理を行って個別毎の冊子を作製する冊子作製システムであって、入力される前記印刷情報及び個人情報に基づいて、当該対象個人に関連付けられた所定形態の印刷情報を特定する個別印刷情報特定手段と、前記特定された対象個人に関連する印刷情報に対応して当該印刷情報における所定枚葉対象に識別符号を付与する識別符号付与手段と、前記対象個人毎に対応した印刷情報に関する内容を特定して印刷ファイルを作成するものであって、少なくとも前記付された識別符号及びそのレイアウト情報が含まれ、印刷させる当該識別符号を、印刷対象枚葉における印刷情報以外の部分で、冊子形態のときに存在させる位置であり、所定の枚葉のインデックスマークとしての役割をも担わせる位置にレイアウトさせた印刷ファイルを作成する印刷ファイル作成手段と、前記作成された印刷ファイルに基づき、対象個人毎に対応して枚葉毎に印刷情報及び前記識別符号を印刷し、印刷された枚葉毎の識別符号を認識し、当該対象個人毎の所定数の枚葉を単位として冊子状に形成する冊子作製手段と、を有する構成である。
【０００８】
請求項２〜４の発明では、「前記印刷ファイル作成手段は、印刷させる前記識別符号を、印刷対象枚葉における印刷情報以外の部分で、冊子形態のときに存在させる位置にレイアウトさせた印刷ファイルを作成する」構成であり、
「前記印刷情報特定手段は、印刷情報とファイル名とが対応付けされたテーブルを備え、入力される印刷情報に基づいて上記テーブルを参照してファイル名を特定する」構成であり、
「前記冊子作製手段は、前記ファイル名に対応した印刷データを格納している格納手段を備え、入力される印刷ファイルにおけるファイル名に対応した印刷データを、上記格納手段より読み込んで印刷を行う」構成である。
【０００９】
請求項５の発明では、請求項１〜４の少なくとも何れかの冊子作製システムで作製される構成の冊子とする。
【００１０】
このように、入力される印刷情報及び個人情報より対象個人に関連付けられた所定形態の印刷情報を特定し、これに対応させて所定枚葉対象に対象個人に関するコード、各枚葉の頁に関するコード及び表紙となる枚葉に関するコードを表す識別符号を印刷対象枚葉における印刷情報以外の部分で冊子形態とするときに存在させる位置の、インデックスマークの役割を担わせる位置にレイアウトさせるレイアウト情報と共に付与した印刷ファイルを作成し、この印刷ファイルに基づいて印刷情報及び識別符号を印刷し、印刷された枚葉毎の識別符号を認識することで対象個人毎の枚葉を単位とした冊子状に形成する。すなわち、識別符号で対象個人毎の枚葉を特定することから個人別毎の冊子作製における効率化を図ることが可能となり、人手を介在させないことから作成費用の削減を図ることが可能となり、識別符号の役割に応じ、印刷対象枚葉のレイアウトに応じた冊子を作製することができるものである。
【００１１】
【発明の実施の形態】
以下、本発明の好ましい実施形態を図により説明する。ここで示す実施形態は、例えば通信教育において顧客としての各個人毎に印刷情報の一部である教材を特定した冊子を作製する場合に適用させた場合を示すものであるが、個人別毎に異なる情報を提供するに際して冊子を作製する金融関係等においても適用することができるものである。なお、本実施形態で示す印刷は、印字をも含む概念としている。
【００１２】
図１に、本発明に係る冊子作製システムのブロック構成図を示す。図１に示す冊子作製システム１１は、印刷情報及び個人情報に基づいて当該対象個人毎に印刷処理を行って個別毎の冊子を作製するためのものであって、図示しない統括的な制御手段の他に、少なくとも、データ取得手段１２、個人データ特定手段１３、印刷データファイル読込手段１４、印刷ファイルテーブル１５、識別符号付与手段１６、印刷ファイル作成手段１７、レイアウトテーブル１８及び冊子作製手段１９を備える。上記データ取得手段１２、個人データ特定手段１３及び印刷データファイル読込手段１４により個別印刷情報特定手段を構成する。
【００１３】
上記データ取得手段１２は、例えばデータ管理元から送られてくる印刷情報２０及び個人情報２１を入力して取得する。ここで、印刷情報２０は、対象個人に関連付けられた例えば印刷すべき教材名等を含むものである。上記個人データ特定手段１３は、取得した個人データを特定し、上記印刷データファイル読込手段１４は、取得した印刷情報の例えば教材名から印刷ファイルテーブル１５を参照して当該教材名に対応するファイル名を読み込む。
【００１４】
上記識別符号付与手段１６は、特定された対象個人に関連する印刷情報（教材）に対応して当該印刷情報における所定枚葉対象に識別符号を付与する。印刷ファイル作成手段１７は、対象個人毎に対応した印刷情報（教材）に関する内容（ファイル名）を特定して印刷ファイルを作成するものであって、少なくとも付された識別符号及び当該識別符号のレイアウトテーブル１８で特定されたレイアウト情報が含まれる印刷ファイルを作成する。上記識別符号は、例えば対象個人に関するコード、各枚葉の頁に関するコード、表紙となる枚葉に関するコード等を表すバーコードが採用される。
【００１５】
例えば、識別符号のレイアウト位置を、印刷対象枚葉における印刷情報以外の部分で、冊子形態のときに存在させる位置にレイアウトさせ、または、所定の枚葉のインデックスマークとしての役割をも担わせる位置にレイアウトさせ、または、印刷対象枚葉における印刷情報以外の部分で、冊子形態のときに仕上断裁で除去される位置にレイアウトさせる。なお、印刷ファイルで特定される印刷情報は、例えば対象個人に対応する所定数の枚葉を印刷する際に最終頁より若い頁に順次印刷させるように構成される。
【００１６】
そして、冊子作製手段１９は、上記印刷ファイルに基づき、対象個人毎に対応して枚葉毎に印刷情報及び前記識別符号を印刷し、印刷された枚葉毎の識別符号を認識し、当該対象個人毎の所定数の枚葉を単位として冊子状に形成して冊子を作製するものである。
【００１７】
続いて、図２に、図１の冊子作製手段の一例のブロック構成図を示す。図２に示す冊子作製手段１９は、ライン制御手段３１、入出力（Ｉ／Ｏ）インタフェース３２、印刷手段３３、符号認識手段３４、枚葉断裁手段３５、搬送手段３６、綴じ手段３７、スタッカ制御手段３８及び格納手段である印刷情報データベース（ＤＢ）３９を備える。上記ライン制御手段３１は、当該冊子作製手段１９の総ての制御を統括する。
【００１８】
上記入出力（Ｉ／Ｏ）インタフェース３２は、少なくとも上記印刷ファイル作成手段１７で作成された印刷ファイルを入力して取得すると共に、後述の冊子作製装置に配置された符号読取手段の一部を構成するバーコードリーダ（ＢＣＲ）からの読取信号を入力して取得する。上記印刷手段３３は、後述の連続用紙に対して取得した印刷ファイルで特定されたファイル名に基づいて印刷情報ＤＢ３９より対応する印刷データを読み込んで印刷を行う。この場合の印刷情報ＤＢ３９は、予め印刷されるべき内容のものがファイル名を付されて格納されているものである。
【００１９】
上記符号認識手段３４は、ＢＣＲ４１で読み取った識別符号を認識して、印刷された枚葉を対象個人対応の枚葉であるかを特定する。上記枚葉断裁手段３５は、符号認識手段３４の認識に応じて連続用紙に印刷された枚葉部分を断裁する。上記搬送手段３６は、上記連続用紙、断裁された枚葉を適宜搬送する場合の制御を統括する。上記綴じ手段３７は、対象個人に対応する総ての枚葉が断裁されて積み重ねられたものを所定の綴じ方法（例えば無線綴じ（糊綴じ））で綴じて冊子状とする。そして、スタッカ制御手段３８は、対象個人に対応する枚葉が綴じられた各冊子を順次ストックする。
【００２０】
そこで、図３に、図１における冊子作製のための印刷ファイル作成のフローチャートを示す。図３において、まず、データ取得手段１２が印刷情報２０及び個人情報２１を取得する（ステップ（Ｓ）１）。取得された印刷情報２０に基づいて、印刷データファイル読込手段１４が印刷ファイルテーブル１５を参照して対応のファイル名を取得する（Ｓ２）。一方で個人データ特定手段１３が対象個人を特定し、上記印刷データファイル読込手段１４で取得した印刷情報のファイル名に当該特定した対象個人と関連付けた識別符号である上記バーコードを識別符号付与手段１６が付与する（Ｓ３）。
【００２１】
続いて、印刷ファイル作成手段１７が、各対象個人の情報と、各個人毎の印刷ファイル名を特定し、レイアウトテーブル１８からのレイアウトに応じた識別符号の印刷位置の情報を特定した印刷ファイルを作成する（Ｓ４）。そして、作成した印刷ファイルを冊子作製手段１９に送出するものである（Ｓ５）。
【００２２】
次に、図４に、本発明に係る冊子作製システムにおける冊子作製手段を構成する冊子作製装置の概念説明図を示す。図４に示す冊子作製装置５１は、印刷を行う枚葉が連続した連続用紙５２が順次供給される方向に、印刷手段（プリンタ）３３、ＢＣＲ４１、枚葉断裁手段３５が順次配置され、枚葉搬送方向に枚葉断裁位置より下方に第１及び第２の搬送手段３６Ａ，３６Ｂが配置される。さらに、綴じ手段３７が配置され、その排出位置にスタッカ５３が配置される。
【００２３】
そこで、図５に、図４における冊子作製の各工程段階の説明図を示し、図４の冊子作製装置５１と共に説明する。まず、供給される連続用紙５２に対し、印刷手段３３が印刷ファイルに基づいて、対象個人毎であって、枚葉５４毎の印刷情報が印刷情報エリア５６に印刷され、上述のような識別符号としてのバーコード５７が印刷される。すなわち、図５（Ａ）に示すように、例えば対象個人Ａに対応した５頁分の冊子を作製させる場合、表紙内容Ａ−１と教材内容Ａ−２〜Ａ−５とが最終頁から表紙頁の順番で印刷情報エリア５６に印刷されると共に、枚葉５４に対応する部分の下方にバーコード５７が印刷される。
【００２４】
印刷手段３３による印刷後、印刷されたバーコード５７をＢＣＲ４１で読み込んだ情報が符号認識手段３４で認識される。この符号認識手段３４は、該当の印刷対象が特定された対象個人のものであるか、頁順であるか等を認識する。一方で、ＢＣＲ４１での検出より所定時間後（搬送速度との関係で設定）に枚葉断裁手段３５により枚葉５４毎に断裁する。断裁部分の概念が図５（Ａ）の破線で示される。
【００２５】
断裁された枚葉５４は第１の搬送手段３６Ａ上に積み重ねられ、図５（Ｂ）に示すように対象個人Ａ分の総ての枚葉５４が積み重ねられたときに個人単位枚葉５５Ａとして第２の搬送手段３６Ｂに搬送され、綴じ手段３７に送られる。綴じ手段３７では、送られてきた個人単位枚葉５５Ａを、例えば図５（Ｃ）に示すように無線綴じ（糊綴じ）することで冊子５８Ａとしてスタッカ５３にストックし、各対象個人毎に順次冊子５８Ｂ・・・をストックするものである。
【００２６】
続いて、図６に、図４における識別符号の付与位置を異ならせた場合の各工程段階の説明図を示す。図６（Ａ）において、所定の印刷情報が連続用紙５２の各枚葉部分に相当する対応の印刷情報エリア５６に印刷されるのは図５と同様であるが、識別符号としてのバーコード５７を、例えば各枚葉部分の右端部分であり、印刷情報の内容によって高さを異ならせるように形成させた場合である。すなわち、図６（Ｂ）に示すように対象個人に対応する総ての枚葉５４がまとめられ、図６（Ｃ）に示すように綴じられて冊子５８とされたときに、右端部分にはバーコード５７が存在し、そのバーコード５７が各頁の内容等を示すインデックスマークとしての役割を担わせるようにしたものである。
【００２７】
ところで、上記のように作製された冊子５８は、図５及び図６に示すように付与されたバーコード５７が存在した形態となる。なお、上記印刷手段３３における印刷情報の印刷は、モノクロ、フルカラーであるとを問わない。また、各枚葉５４の綴じ部分の近傍にミシン線を形成して各枚葉５４を分離自在としてもよい。
【００２８】
このように、印刷情報と共に、識別符号としてのバーコード５７を連続用紙５２の対応各枚葉５４に印刷させ、バーコード５７を読み込んで個人別毎の冊子５８を作製することから、個人別毎の冊子作製における効率化を図ることができ、人手を介在させないことから作成費用の削減を図ることができるものである。
【００２９】
次に、図７に、本発明の他の実施形態における冊子作製手段のブロック構成図を示す。図７に示す冊子作製手段１９は、仕上断裁手段６１が設けられたもので、他の構成は図２と同様である。この仕上断裁手段６１は、いわゆる仕上裁ち（化粧裁ち）を行うもので、冊子を構成する各枚葉を寸法どおりに正確に断裁する。ここでは仕上裁ちする寸法内に上記印刷したバーコード５７を含ませないこととしたものである。
【００３０】
そこで、図８に図７における冊子作製装置の概念説明図を示すと共に、図９に図８における冊子作製の各工程段階の説明図を示す。図８に示す冊子作製装置５１は、図４に示す構成のうち綴じ手段３７とスタッカ５３との間に仕上断裁手段６１を配置させたもので、他の構成は図４と同様である。
【００３１】
また、図９（Ａ）に示すように、例えば印刷情報が印刷される印刷情報エリア５６を上記仕上断裁手段６１による断裁寸法とするもので、この印刷情報エリア５６以外の部分に識別符号としての上記バーコード５７が印刷形成される。さらに、図９（Ｂ）に示すように連続用紙５２から各枚葉５４が枚葉断裁手段３５で断裁されて第１の搬送手段３６上に積み重ねられ、綴じ手段３７で図９（Ｃ）に示すように無線綴じ（糊綴じ）される。
【００３２】
そして、仕上断裁手段６１において、図９（Ｄ）に示すように、上記断裁寸法（印刷情報エリア５６）で断裁されることで冊子６２Ａとされ、スタッカ５３にストックされ、各個人対象毎に冊子６２Ｂ・・・が順次ストックされる。すなわち、仕上裁ちで識別符号のバーコード５７を除去した冊子６２を作製するものである。
【００３３】
なお、上述のように本実施形態は、例えば通信教育において顧客としての各個人毎に印刷情報の一部である教材を特定した冊子を作製する場合に適用させた場合を示すものであるが、個人別毎に異なる情報を提供するに際して冊子を作製する金融関係等においても適用することができるものである。
【００３４】
【発明の効果】
以上のように、請求項１及び５の発明によれば、入力される印刷情報及び個人情報より対象個人に関連付けられた所定形態の印刷情報を特定し、これに対応させて所定枚葉対象に対象個人に関するコード、各枚葉の頁に関するコード及び表紙となる枚葉に関するコードを表す識別符号を印刷対象枚葉における印刷情報以外の部分で冊子形態とするときに存在させる位置の、インデックスマークの役割を担わせる位置にレイアウトさせるレイアウト情報と共に付与した印刷ファイルを作成し、この印刷ファイルに基づいて印刷情報及び識別符号を印刷し、印刷された枚葉毎の識別符号を認識することで対象個人毎の枚葉を単位とした冊子状に形成して冊子を作製することにより、個人別毎の冊子作製における効率化を図ることができると共に、識別符号の役割に応じて印刷対象枚葉のレイアウトに応じた冊子を作製することができ、ひいては作成費用の削減を図ることができるものである。
【００３６】
請求項２の発明によれば、所定枚葉対象に識別符号を付与するに際して、印刷対象枚葉における印刷情報以外の部分で冊子形態とするときに存在させる位置にレイアウトさせることにより、識別符号の役割に応じ、印刷対象枚葉のレイアウトに応じた冊子を作製することができるものである。
また、請求項３及び４の発明によれば、入力される印刷ファイルでファイル名を特定した印刷ファイルを作成し、印刷に際してファイル名に対応した印刷データを格納手段より読み込んで印刷させることにより、印刷ファイルの伝送の軽量化が図られて、ひいては個人別毎の冊子作製における効率化を図ることができるものである。
【図面の簡単な説明】
【図１】本発明に係る冊子作製システムのブロック構成図である。
【図２】図１の冊子作製手段の一例のブロック構成図である。
【図３】図１における冊子作製のための印刷ファイル作成のフローチャートである。
【図４】本発明に係る冊子作製システムにおける冊子作製手段を構成する冊子作製装置の概念説明図である。
【図５】図４における冊子作製の各工程段階の説明図である。
【図６】図４における識別符号の付与位置を異ならせた場合の各工程段階の説明図である。
【図７】本発明の他の実施形態における冊子作製手段のブロック構成図である。
【図８】図７における冊子作製装置の概念説明図である。
【図９】図８における冊子作製の各工程段階の説明図である。
【符号の説明】
１１                    冊子作製システム
１２                    データ取得手段
１３                    個人データ特定手段
１４                    印刷データファイル読込手段
１５                    印刷ファイルテーブル
１６                    識別符号付与手段
１７                    印刷ファイル作成手段
１８                    レイアウトテーブル
１９                    冊子作製手段
３３                    印刷手段
３４                    符号認識手段
３５                    枚葉断裁手段
３７                    綴じ手段
３９                    印刷情報データベース（ＤＢ）
４０                    印刷ファイル
４１                    バーコードリーダ（ＢＣＲ）
５１                    冊子作製装置
５６                    印刷情報エリア
５７                    バーコード
５８，６２              冊子
６１                    仕上断裁手段
【図１】
0004386226.tif 000002
【図２】
0004386226.tif 000003
【図３】
0004386226.tif 000004
【図４】
0004386226.tif 000005
【図５】
0004386226.tif 000006
【図６】
0004386226.tif 000007
【図７】
0004386226.tif 000008
【図８】
0004386226.tif 000009
【図９】
0004386226.tif 000010